(57)【要約】【課題】媒体の垂れ下がりを抑制できる排出装置及び記録装置を提供すること。【解決手段】記録装置１１は、媒体を排出する排出部２５と、排出部によって排出される媒体に対して幅方向Ｘの中央を挟む２箇所を持ち上げるように支持する一対の支持部２７と、を備え、一対の支持部は、サイズの異なる複数の媒体に対応するように複数設けられる。【選択図】図３
2019167201.tif 000002
【特許請求の範囲】
【請求項１】
媒体を排出する排出部と、
前記排出部によって排出される前記媒体に対して幅方向の中央を挟む２箇所を持ち上げるように支持する一対の支持部と、を備え、
一対の前記支持部は、サイズの異なる複数の前記媒体に対応するように複数設けられることを特徴とする排出装置。
【請求項２】
前記支持部は、前記媒体を支持する高さが異なる第１支持部と第２支持部とを含んで構成され、
前記第１支持部は、前記第２支持部よりも前記媒体を支持する高さが高くなるように少なくとも一対設けられ、前記幅方向において前記第２支持部を挟むように位置することを特徴とする請求項１に記載の排出装置。
【請求項３】
前記排出部は、前記媒体を挟み込む状態で回転することにより前記媒体を排出する排出ローラーを有し、
前記支持部は、前記排出ローラーが前記媒体を挟み込む位置よりも高い位置で前記媒体を支持するように設けられることを特徴とする請求項１又は請求項２に記載の排出装置。
【請求項４】
前記支持部は、上方に向けて突出する突起で構成されることを特徴とする請求項１から請求項３のうち何れか一項に記載の排出装置。
【請求項５】
前記突起の上端部分は、前記幅方向から見て丸みを有する形状とされることを特徴とする請求項４に記載の排出装置。
【請求項６】
前記突起の上端部分は、前記媒体が排出される排出方向から見て丸みを有する形状とされることを特徴とする請求項４又は請求項５に記載の排出装置。
【請求項７】
媒体に画像を記録する記録部と、
記録部によって記録された前記媒体を排出する排出部と、
前記排出部によって排出される前記媒体に対して幅方向の中央を挟む２箇所を持ち上げるように支持する一対の支持部と、を備え、
一対の前記支持部は、サイズの異なる複数の前記媒体に対応するように複数設けられることを特徴とする記録装置。
【発明の詳細な説明】
【技術分野】
【０００１】
本発明は、例えば用紙などの媒体を排出する排出装置及び記録装置に関する。
【背景技術】
【０００２】
特許文献１には、排出装置の一例として、媒体の一種であるシートを湾曲させながら排出することにより、シートが垂れ下がることを抑制したシート排出装置が記載されている。シート排出装置は、排出されるシートの両端を持ち上げるように支持するガイド部材を有する。
【先行技術文献】
【特許文献】
【０００３】
【特許文献１】特開２００３−１１８９１１号公報
【発明の概要】
【発明が解決しようとする課題】
【０００４】
特許文献１に記載されたシート排出装置において、ガイド部材は、シート排出装置が排出可能な最大サイズのシートの両端を支持可能な位置に配置される。そのため、シートのサイズが小さい場合、シート排出装置は、シートの片端を持ち上げながらシートを排出する。この場合、シートのサイズによっては、シートの垂れ下がりを抑制できない虞がある。
【０００５】
本発明の目的は、媒体の垂れ下がりを抑制できる排出装置及び記録装置を提供することにある。
【課題を解決するための手段】
【０００６】
以下、上記課題を解決するための手段及びその作用効果について記載する。
上記課題を解決する排出装置は、媒体を排出する排出部と、前記排出部によって排出される前記媒体に対して幅方向の中央を挟む２箇所を持ち上げるように支持する一対の支持部と、を備え、一対の前記支持部は、サイズの異なる複数の前記媒体に対応するように複数設けられる。
【０００７】
この構成によれば、排出部によって排出される媒体は、一対の支持部に支持されることによって幅方向に湾曲される。これにより、媒体にコシが付与される。一対の支持部は、サイズの異なる複数の媒体に対応するように複数設けられる。そのため、サイズの異なる複数の媒体にコシを付与できる。したがって、異なるサイズの媒体それぞれに対して垂れ下がりを抑制できる。
【０００８】
上記排出装置において、前記支持部は、前記媒体を支持する高さが異なる第１支持部と第２支持部とを含んで構成され、前記第１支持部は、前記第２支持部よりも前記媒体を支持する高さが高くなるように少なくとも一対設けられ、前記幅方向において前記第２支持部を挟むように位置することが好ましい。
【０００９】
この構成によれば、第２支持部を挟むように位置する一対の第１支持部が媒体を支持する際、第２支持部は、媒体において、一対の第１支持部がそれぞれ支持する部分の間の一部分を支持する。第２支持部が媒体を支持する高さは、第１支持部が媒体を支持する高さよりも低い。そのため、媒体において第２支持部によって支持される部分は、下方に落ち込む。すなわち、第１支持部によって媒体を持ち上げ易くなる。これにより、媒体にコシを付与できる。
【００１０】
上記排出装置において、前記排出部は、前記媒体を挟み込む状態で回転することにより前記媒体を排出する排出ローラーを有し、前記支持部は、前記排出ローラーが前記媒体を挟み込む位置よりも高い位置で前記媒体を支持するように設けられることが好ましい。
【００１１】
この構成によれば、排出部によって排出される媒体は、支持部に支持されることによって、下方から上方に向けて延びる姿勢となる。下方から上方を向けて延びる姿勢で媒体を排出することによって、上方から下方に向けて延びる姿勢で媒体を排出する場合と比べて、媒体が垂れ下がり難くなる。すなわち、媒体の垂れ下がりを抑制できる。
【００１２】
上記排出装置において、前記支持部は、上方に向けて突出する突起で構成されることが好ましい。
この構成によれば、支持部を簡易に構成できる。
【００１３】
上記排出装置において、前記突起の上端部分は、前記幅方向から見て丸みを有する形状とされることが好ましい。
この構成によれば、突起と擦れることによる媒体のダメージを低減できる。
【００１４】
上記排出装置において、前記突起の上端部分は、前記媒体が排出される排出方向から見て丸みを有する形状とされることが好ましい。
この構成によれば、突起と擦れることによる媒体のダメージを低減できる。
【００１５】
上記課題を解決する記録装置は、媒体に画像を記録する記録部と、記録部によって記録された前記媒体を排出する排出部と、前記排出部によって排出される前記媒体に対して幅方向の中央を挟む２箇所を持ち上げるように支持する一対の支持部と、を備え、一対の前記支持部は、サイズの異なる複数の前記媒体に対応するように複数設けられる。
【００１６】
この構成によれば、上述した排出装置と同様の効果が得られる。
【図面の簡単な説明】
【００１７】
【図１】排出装置の一例である記録装置の一実施形態を示す斜視図。
【図２】記録装置の内部構造を模式的に示す側断面図。
【図３】排出口を示す正面図。
【図４】Ａ１サイズの媒体を排出するときの状態を模式的に示す正面図。
【図５】Ｂ２サイズの媒体を排出するときの状態を模式的に示す正面図。
【図６】Ａ２サイズの媒体を排出するときの状態を模式的に示す正面図。
【図７】Ａ３サイズの媒体を排出するときの状態を模式的に示す正面図。
【図８】記録装置の変更例を模式的に示す正面図。
【図９】記録装置の別の変更例を模式的に示す正面図。
【発明を実施するための形態】
【００１８】
以下、排出装置の一例である記録装置の一実施形態について図を参照しながら説明する。記録装置は、例えば、用紙等の媒体に液体の一例であるインクを噴射することによって、文字、写真等の画像を記録するインクジェット式のプリンターである。本実施形態において、記録装置は水平面に配置される。
【００１９】
図１に示すように、排出装置の一例である記録装置１１は、筐体１２を有する。筐体１２は直方体状に形成される。筐体１２は、筐体１２内から筐体１２外に向けて媒体９９を排出するための排出口１３を有する。排出口１３は、筐体１２の前面に開口する。筐体１２の前面は、筐体１２の幅方向Ｘ及び鉛直方向Ｚに広がりを有する面である。
【００２０】
排出口１３は、筐体１２の前面において、媒体９９の排出を可能にしつつ、外部からの異物（例えばペンなど立体物）が筐体１２に侵入し難くするように、隙間を小さくしたスリット状に開口し、幅方向Ｘに延びる。筐体１２内に供給された媒体９９は、筐体１２内において画像が記録される。画像が記録された媒体９９は、排出口１３から筐体１２外に排出される。筐体１２の幅方向Ｘは、媒体９９の幅方向と一致する。そのため、本実施形態においては、筐体１２の幅方向Ｘと媒体９９の幅方向とを区別せず、単に幅方向Ｘと称する。
【００２１】
筐体１２は、記録装置１１を操作するための操作パネル１４と、開閉可能な第１カバー１５及び第２カバー１６とを有する。操作パネル１４、第１カバー１５及び第２カバー１６は、筐体１２の上面に位置する。筐体１２の上面は、筐体１２の幅方向Ｘ及び筐体１２の奥行方向Ｙに広がりを有する面である。本実施形態において、筐体１２の上面は水平面に沿う面である。筐体１２の奥行方向Ｙとは、筐体１２の前面側から、前面側とは反対側の後面側に向かう方向である。そのため、幅方向Ｘ、奥行方向Ｙ及び鉛直方向Ｚは、互いに異なる方向を示す。
【００２２】
操作パネル１４及び第１カバー１５は、筐体１２の上面において、筐体１２の前面寄りに位置する。操作パネル１４及び第１カバー１５は、筐体１２の上面において、幅方向Ｘで隣り合うように位置する。第２カバー１６は、筐体１２の上面において、筐体１２の前面側とは反対側の後面寄りに位置する。図１において、第１カバー１５及び第２カバー１６は閉じている。第１カバー１５及び第２カバー１６は、後面寄りとなる端部を軸に開閉可能とされる。
【００２３】
第１カバー１５を開くと、筐体１２内が露出する。第１カバー１５を開くことにより、例えば筐体１２内をメンテナンスできる。第２カバー１６を開くと、筐体１２内に媒体９９を供給可能とする供給口１７が露出する。第２カバー１６を開くと、供給口１７を介して筐体１２内が露出する。
【００２４】
図２に示すように、記録装置１１は、供給される媒体９９をガイドするガイド部材２１と、ガイド部材２１にガイドされる媒体９９を搬送する搬送部２２とを備える。記録装置１１は、搬送部２２に搬送される媒体９９を支持する支持台２３と、支持台２３に支持される媒体９９に画像を記録する記録部２４とを備える。記録装置１１は、媒体９９を排出する排出部２５と、記録部２４により記録された媒体９９を切断可能な切断部２６とを備える。記録装置１１は、排出部２５によって排出される媒体９９を持ち上げるように支持する支持部２７を備える。記録装置１１において、排出部２５は、記録部２４により記録された媒体９９を排出する。ガイド部材２１、搬送部２２、支持台２３、記録部２４、排出部２５、切断部２６及び支持部２７は、筐体１２に収容される。
【００２５】
記録装置１１は、媒体９９を円筒状に巻き重ねたロール体Ｒを装填可能とされる。ロール体Ｒは、例えば供給口１７を介して筐体１２内に装填される。装填されたロール体Ｒは、筐体１２内において後面寄りに位置する。ロール体Ｒが回転すると、媒体９９が繰り出される。ロール体Ｒから繰り出される媒体９９は、例えば連続紙である。本実施形態の記録装置１１においては、図２において２点鎖線で示すように、ロール体Ｒから繰り出される媒体９９とは別に、供給口１７を介して媒体９９を供給可能である。供給口１７から供給される媒体９９は、例えば単票紙である。
【００２６】
ロール体Ｒから繰り出される媒体９９及び供給口１７から供給される媒体９９は、排出口１３から排出される。すなわち、媒体９９は、筐体１２の後面側から前面側に向かうように搬送される。そのため、媒体９９が搬送される搬送方向は、筐体１２の後面側から前面側に向かう方向である。本実施形態において、媒体９９が搬送される搬送方向と媒体９９が排出される排出方向Ａとは一致する。搬送方向及び排出方向Ａは、奥行方向Ｙとは反対となる筐体１２の後面側から前面側に向かう方向である。
【００２７】
ガイド部材２１は、ロール体Ｒから供給される媒体９９、及び供給口１７から供給される媒体９９を支持台２３に向けてガイドする。搬送部２２は、回転可能な一対の搬送ローラー３１を有する。対をなす２つの搬送ローラー３１は、媒体９９を上下で挟むように位置する。搬送ローラー３１は、排出方向Ａにおいて、ガイド部材２１と支持台２３との間に位置する。搬送部２２は、搬送ローラー３１が媒体９９を挟み込む状態で回転することにより、媒体９９を支持台２３に向けて搬送する。支持台２３は、媒体９９を下方から支持する。
【００２８】
記録部２４は、例えばインクなどの液体をノズル３２から噴射するヘッド３３と、ヘッド３３を搭載するキャリッジ３４と、キャリッジ３４を支持するガイド軸３５とを有する。ヘッド３３は、ノズル３２が形成されるノズル面３６が支持台２３と対向する姿勢でキャリッジ３４に搭載される。キャリッジ３４は、ガイド軸３５に沿って往復移動可能とされる。ガイド軸３５は、幅方向Ｘに延びる。ヘッド３３は、キャリッジ３４とともに幅方向Ｘに移動しながら、支持台２３に支持される媒体９９に液体を噴射する。これにより、記録部２４は、媒体９９に画像を記録する。
【００２９】
排出部２５は、回転可能な一対の中継ローラー３７、及び一対の排出ローラー３８を有する。対をなす２つの中継ローラー３７、及び対をなす２つの排出ローラー３８は、それぞれ媒体９９を上下で挟むように位置する。筐体１２内において、中継ローラー３７は記録部２４寄りに位置し、排出ローラー３８は排出口１３寄りに位置する。排出部２５は、中継ローラー３７又は排出ローラー３８が媒体９９を挟み込む状態で回転することにより、媒体９９を排出する。中継ローラー３７は、排出ローラー３８に向けて媒体９９を送り出す。排出ローラー３８は、排出口１３から媒体９９を排出する。
【００３０】
切断部２６は、回転可能な一対の回転刃３９を有する。対をなす２つの回転刃３９は、一部が重なり、媒体９９を上下で挟み込み可能なように位置する。切断部２６は、回転刃３９が上下で媒体９９を挟み込んで切り込みながら、幅方向Ｘに移動することによって、媒体９９を切断する。切断部２６は、中継ローラー３７と排出ローラー３８との間に位置する。切断部２６は、中継ローラー３７及び排出ローラー３８のそれぞれに挟み込まれた媒体９９を切断する。
【００３１】
切断部２６は、媒体９９を所望の長さで切断する。例えば記録部２４により記録された媒体９９がロール体Ｒから供給される連続紙である場合、切断部２６は媒体９９を切断する。例えば記録部２４により記録された媒体９９が供給口１７から供給される単票紙である場合、切断部２６は媒体９９を切断しなくともよい。
【００３２】
支持部２７は、排出口１３に取り付けられる。支持部２７は、排出ローラー３８により排出される媒体９９を下方から支持する。支持部２７は、排出ローラー３８が媒体９９を挟み込む位置よりも高い位置で媒体９９を支持するように設けられる。そのため、排出口１３から排出される媒体９９は、排出方向Ａにおいて、下方から上方に向けて傾斜する姿勢となる。すなわち、排出口１３から排出される媒体９９は、その先端となる下流部分が水平面に対して上方を向く姿勢となる。
【００３３】
本実施形態において、支持部２７は、上方に向けて突出する突起４１で構成される。突起４１は、排出口１３の下縁から上方に向けて突出するように位置する。突起４１は、排出方向Ａにおいて、下方から上方に向けて傾斜する傾斜面４２と、上方から下方に向けて湾曲する湾曲面４３とを有する。傾斜面４２及び湾曲面４３は、突起４１において連続した面として形成される。傾斜面４２は、排出方向Ａにおいて湾曲面４３よりも上流に位置する。傾斜面４２は、排出される媒体９９の先端を上方に向けてすくい上げる。湾曲面４３は、傾斜面４２によりすくい上げられた媒体９９を支持する。
【００３４】
突起４１の上端部分４４は、幅方向Ｘから見て丸みを有する形状とされる。上端部分４４は、排出方向Ａにおいて円弧状に湾曲する。これにより、突起４１の上端部分４４と媒体９９とが擦れることによる媒体９９のダメージを低減できる。本実施形態において、突起４１の上端部分４４は、湾曲面４３によって形成される。
【００３５】
突起４１の上端部分４４は、鉛直方向Ｚにおいて、排出ローラー３８が媒体９９を挟み込む位置よりも高い位置に位置する。これにより、媒体９９は、先端が上方を向く姿勢で排出口１３から排出される。
【００３６】
図３に示すように、支持部２７は、幅方向Ｘに並ぶように複数設けられる。複数の支持部２７は、排出口１３において、幅方向Ｘに所定の間隔をあけて位置する。複数の支持部２７のうち、一対の支持部２７は、排出部２５によって排出される媒体９９に対して幅方向Ｘの中央を挟む２箇所を持ち上げるように支持する。すなわち、一対の支持部２７は、排出方向Ａの先から見て、媒体９９に対して幅方向Ｘの中央よりも右側となる一部分と、左側となる一部分とをそれぞれ持ち上げるように支持する。
【００３７】
一対の支持部２７は、排出部２５によって排出される媒体９９に対して幅方向Ｘにおける媒体９９の両端を持ち上げるように支持することが好ましい。そのため、支持部２７は、排出される媒体９９に対して幅方向Ｘの中央よりも右側の端部と、排出される媒体９９に対して幅方向Ｘの中央よりも左側の端部と、を持ち上げるように支持する。この場合、支持部２７は、排出される媒体９９に対して幅方向Ｘの中央よりも右側の端部付近と、排出される媒体９９に対して幅方向Ｘの中央よりも左側の端部付近と、を支持可能に接触する位置に位置することが好ましい。このように支持部２７を配置すると、排出される媒体９９は、排出方向Ａの先から見て中央から幅方向Ｘの両端に向かって持ち上がり、凹状に湾曲する。すなわち、媒体９９は、幅方向Ｘにおいて、媒体９９の両端が上方に持ち上がり、媒体９９の中央が下方に落ち込むように湾曲する。
【００３８】
一対の支持部２７は、サイズの異なる複数の媒体９９に対応するように複数設けられる。すなわち、一対の支持部２７は、記録装置１１が記録可能なサイズの媒体９９に対応して設けられる。一対の支持部２７を複数設けることにより、記録装置１１は、サイズの異なる複数の媒体９９に対して幅方向Ｘの中央を挟む２箇所を持ち上げながら、媒体９９を排出することが可能となる。
【００３９】
本実施形態において、複数の支持部２７は、サイズの異なる複数の媒体９９の幅方向Ｘにおける端部を支持するようにそれぞれ位置する。すなわち、複数の支持部２７は、記録装置１１が記録可能なサイズの媒体９９の幅方向Ｘにおける一方側および他方側の端部を持ち上げるように支持可能な位置にそれぞれ位置する。そのため、支持部２７は、記録装置１１が記録可能な各サイズの媒体９９の幅方向Ｘにおける両端と対応する位置に位置する。これにより、記録装置１１は、サイズの異なる複数の媒体９９の幅方向Ｘにおける両端を持ち上げながら、媒体９９を排出する。
【００４０】
支持部２７は、媒体９９を支持する高さが異なる第１支持部５１と第２支持部５２とを含んで構成される。第１支持部５１は、第２支持部５２よりも媒体９９を支持する高さが高くなるように少なくとも一対設けられる。本実施形態において、第１支持部５１は４つ設けられ、第２支持部５２は１つ設けられる。
【００４１】
第１支持部５１は、幅方向Ｘにおいて第２支持部５２を挟むように位置する。本実施形態において、排出方向Ａの先から見た場合に、第１支持部５１は、第２支持部５２よりも右側に１つ、第２支持部５２よりも左側に３つ設けられる。すなわち、排出口１３には、幅方向Ｘにおいて順に、第１支持部５１、第２支持部５２、第１支持部５１、第１支持部５１、第１支持部５１が位置する。幅方向Ｘは、排出方向Ａの先から見た場合、すなわち記録装置１１を正面から見た場合に、右側から左側に向かう方向である。
【００４２】
第１支持部５１及び第２支持部５２は、突起４１で構成される。突起４１の上端部分４４は、排出方向Ａから見て丸みを有する形状である。上端部分４４は、幅方向Ｘにおいて円弧状に湾曲する。これにより、突起４１の上端部分４４と媒体９９とが擦れることによる媒体９９のダメージを低減できる。
【００４３】
排出口１３には、突起４１が複数設けられる。複数の突起４１は、幅方向Ｘに並ぶように位置する。本実施形態においては、排出口１３に突起４１が９個設けられる。排出口１３に設けられる９個の突起４１を、幅方向Ｘにおいて順に、それぞれ第１突起６１、第２突起６２、第３突起６３、第４突起６４、第５突起６５、第６突起６６、第７突起６７、第８突起６８及び第９突起６９と称する。
【００４４】
本実施形態において、第２突起６２の突出量は、第１突起６１、第７突起６７、第８突起６８及び第９突起６９の突出量と比較して、０．５ｍｍだけ小さい。すなわち、鉛直方向Ｚにおいて、第２突起６２の上端部分４４は、第１突起６１、第７突起６７、第８突起６８及び第９突起６９の上端部分４４よりも０．５ｍｍだけ低い位置に位置する。
【００４５】
第３突起６３、第４突起６４、第５突起６５及び第６突起６６の突出量は、第１突起６１、第７突起６７、第８突起６８及び第９突起６９の突出量と比較して、１．５ｍｍだけ小さい。すなわち、鉛直方向Ｚにおいて、第３突起６３、第４突起６４、第５突起６５及び第６突起６６の上端部分４４は、第１突起６１、第７突起６７、第８突起６８及び第９突起６９の上端部分４４よりも１．５ｍｍだけ低い位置に位置する。
【００４６】
排出部２５により排出される媒体９９は、突起４１の上端部分４４に接触する。このとき、複数の突起４１のうち媒体９９を持ち上げるように支持する突起４１が支持部２７として機能する。そのため、複数の突起４１において突出量が最も小さい第３突起６３、第４突起６４、第５突起６５及び第６突起６６よりも突出量の大きい第１突起６１、第２突起６２、第７突起６７、第８突起６８及び第９突起６９が支持部２７として機能する。本実施形態において、第１突起６１、第７突起６７、第８突起６８及び第９突起６９は、第１支持部５１を構成する。第２突起６２は、第２支持部５２を構成する。
【００４７】
記録装置１１は、ロール体Ｒから供給される媒体９９を排出する場合、記録装置１１を正面から見て右側となる媒体９９の右端を第１突起６１が支持するように、排出口１３から媒体９９を排出する。記録装置１１は、ロール体Ｒから供給される媒体９９を排出する場合、媒体９９のサイズによらず、媒体９９の右端の位置が一致するように排出する。
【００４８】
記録装置１１は、供給口１７から供給される媒体９９を排出する場合、媒体９９の右端を第２突起６２が支持するように、排出口１３から媒体９９を排出する。記録装置１１は、供給口１７から供給される媒体９９を排出する場合、媒体９９のサイズによらず、媒体９９の右端の位置が一致するように排出する。記録装置１１は、供給口１７から供給される媒体９９の右端を第１突起６１が支持するように排出してもよい。すなわち、記録装置１１は、ロール体Ｒから媒体９９が供給される場合、供給口１７から媒体９９が供給される場合の何れにおいても、媒体９９の右端の位置が一致するように排出してもよい。
【００４９】
記録装置１１は、例えば幅方向Ｘにおける幅がＡ１サイズの媒体９９が巻き重ねられたロール体Ｒを装填可能とされる。記録装置１１は、Ａ１サイズの他に、Ｂ２サイズ、Ａ２サイズの媒体９９が巻き重ねられたロール体Ｒを装填可能とされる。記録装置１１は、Ａ３サイズの媒体９９を供給口１７から供給可能とされる。幅方向Ｘにおいて、Ａ１サイズの媒体９９の幅は５９４ｍｍである。幅方向Ｘにおいて、Ｂ２サイズの媒体９９の幅は５１５ｍｍである。幅方向Ｘにおいて、Ａ２サイズの媒体９９の幅は４２０ｍｍである。幅方向Ｘにおいて、Ａ３サイズの媒体９９の幅は２９７ｍｍである。記録装置１１は、その他のサイズの媒体９９に対応するように構成されてもよい。
【００５０】
次に、上記のように構成された記録装置１１の作用について説明する。
排出部２５により媒体９９を排出する際、排出される媒体９９の先端である下流部分が下方に垂れ下がることがある。このとき、垂れ下がる下流部分によって、媒体９９の上流部分が引っ張られる。上流部分が引っ張られると、媒体９９の姿勢が傾くことがある。媒体９９の姿勢が傾くと、排出部２５が媒体９９を真っ直ぐに排出できない虞がある。特に、本実施形態のような記録装置１１においては、媒体９９の姿勢が傾くと、切断部２６が媒体９９を真っ直ぐに切断できない虞がある。媒体９９の姿勢が傾くと、記録部２４が画像を正しく記録できない虞がある。
【００５１】
本実施形態の記録装置１１は、排出される媒体９９の幅方向Ｘにおける中央を挟む２箇所を持ち上げるように支持する一対の支持部２７を備える。一対の支持部２７が媒体９９を支持すると、媒体９９は幅方向Ｘに湾曲する。一対の支持部２７に支持される媒体９９は、記録装置１１の正面から見て凹状又は波打ち状に湾曲する。このように湾曲すると、媒体９９にコシが付与される。これにより、排出される媒体９９の下流部分が垂れ下がり難くなる。媒体９９のコシとは、媒体９９のこわさ、剛度のことである。
【００５２】
排出される媒体９９の幅方向Ｘにおける幅が長いほど、その媒体９９の下流部分が垂れ下がり易い。媒体９９に対して効果的にコシを付与するためには、媒体９９の幅方向Ｘにおける両端が持ち上がるように媒体９９を湾曲させるとよい。そのため、本実施形態における一対の支持部２７は、媒体９９の幅方向Ｘにおける両端を持ち上げるように支持する。
【００５３】
図４に示すように、例えばＡ１サイズの媒体９９が供給される場合、記録装置１１は、媒体９９の右端が第１突起６１に、媒体９９の左端が第９突起６９によって支持されるように、その媒体９９を排出する。幅方向Ｘにおいて第１突起６１と第９突起６９との間に位置する第２突起６２、第３突起６３、第４突起６４、第５突起６５及び第６突起６６の突出量は、第１突起６１及び第９突起６９の突出量よりも小さい。そのため、媒体９９は、幅方向Ｘにおいて、第１突起６１に支持される部分と第９突起６９に支持される部分との間の一部分が下方に落ち込むように湾曲する。すなわち、媒体９９において、第１突起６１に支持される部分と第９突起６９に支持される部分との間の一部分は、第１突起６１の上端部分４４及び第９突起６９の上端部分４４よりも鉛直方向Ｚにおいて下方に位置する。
【００５４】
Ａ１サイズの媒体９９は、幅方向Ｘにおいて、第１突起６１に支持される部分と第９突起６９に支持される部分とが持ち上がるように湾曲する。これにより、Ａ１サイズの媒体９９が供給される場合において、第１支持部５１である第１突起６１と第１支持部５１である第９突起６９とが、媒体９９の両端を持ち上げるように支持する一対の支持部２７として機能する。第１突起６１及び第９突起６９は、排出される媒体９９に対して幅方向Ｘの中央を挟む２箇所を持ち上げるように支持する一対の支持部２７である。
【００５５】
図５に示すように、例えばＢ２サイズの媒体９９が供給される場合、記録装置１１は、媒体９９の右端が第１突起６１に、媒体９９の左端が第８突起６８によって支持されるように、その媒体９９を排出する。このとき、媒体９９は、幅方向Ｘにおいて、第１突起６１に支持される部分と第８突起６８に支持される部分との間の一部分が落ち込むように湾曲する。すなわち、媒体９９において、第１突起６１に支持される部分と第８突起６８に支持される部分との間の一部分は、第１突起６１の上端部分４４及び第８突起６８の上端部分４４よりも鉛直方向Ｚにおいて下方に位置する。
【００５６】
Ｂ２サイズの媒体９９は、幅方向Ｘにおいて、第１突起６１に支持される部分と第８突起６８に支持される部分とが持ち上がるように湾曲する。これにより、Ｂ２サイズの媒体９９が供給される場合において、第１支持部５１である第１突起６１と第１支持部５１である第８突起６８とが、媒体９９の両端を持ち上げるように支持する一対の支持部２７として機能する。第１突起６１及び第８突起６８は、排出される媒体９９に対して幅方向Ｘの中央を挟む２箇所を持ち上げるように支持する一対の支持部２７である。
【００５７】
図６に示すように、例えばＡ２サイズの媒体９９が供給される場合、記録装置１１は、媒体９９の右端が第１突起６１に、媒体９９の左端が第７突起６７によって支持されるように、その媒体９９を排出する。このとき、媒体９９は、幅方向Ｘにおいて、第１突起６１に支持される部分と第７突起６７に支持される部分との間の一部分が落ち込むように湾曲する。すなわち、媒体９９において、第１突起６１に支持される部分と第７突起６７に支持される部分との間の一部分は、第１突起６１の上端部分４４及び第７突起６７の上端部分４４よりも鉛直方向Ｚにおいて下方に位置する。
【００５８】
Ａ２サイズの媒体９９は、幅方向Ｘにおいて、第１突起６１に支持される部分と第７突起６７に支持される部分とが持ち上がるように湾曲する。これにより、Ａ２サイズの媒体９９が供給される場合において、第１支持部５１である第１突起６１と第１支持部５１である第７突起６７とが、媒体９９の両端を持ち上げるように支持する一対の支持部２７として機能する。第１突起６１及び第７突起６７は、排出される媒体９９に対して幅方向Ｘの中央を挟む２箇所を持ち上げるように支持する一対の支持部２７である。
【００５９】
第３突起６３、第４突起６４、第５突起６５及び第６突起６６を設けると、幅方向Ｘにおいて湾曲する媒体９９の鉛直方向Ｚにおける高低差を小さくできる。例えば、媒体９９が凹状に湾曲すると、その両端部分と中央部分とで高低差が生じる。第３突起６３、第４突起６４、第５突起６５及び第６突起６６を設けない場合、媒体９９の中央部分の落ち込み量が大きくなる。媒体９９の落ち込み量が大きくなると、媒体９９の両端部分と中央部分とで高低差が大きくなる。
【００６０】
媒体９９の両端部分と中央部分とで高低差が大きくなるように媒体９９が凹状に湾曲する場合、それに合わせて鉛直方向Ｚにおける排出口１３の長さを長くする必要がある。そのため、高低差が小さくなるように媒体９９を湾曲させることにより、鉛直方向Ｚにおける排出口１３の長さを短くできる。
【００６１】
第３突起６３、第４突起６４、第５突起６５及び第６突起６６は、媒体９９において下方に落ち込む一部分を支持する。第３突起６３、第４突起６４、第５突起６５及び第６突起６６の上端部分４４は、第１突起６１、第７突起６７、第８突起６８、第９突起６９の上端部分４４と比較して、幅広に形成されるとよい。こうすると、第３突起６３、第４突起６４、第５突起６５及び第６突起６６の上端部分４４と媒体９９とが接触する面積が大きくなる。この場合、第３突起６３、第４突起６４、第５突起６５及び第６突起６６は、媒体９９を安定して支持できる。
【００６２】
図７に示すように、例えばＡ３サイズの単票紙である媒体９９が供給される場合、記録装置１１は、媒体９９の右端が第２突起６２に、媒体９９の左端が第６突起６６によって支持されるように、その媒体９９を排出する。すなわち、本実施形態の記録装置１１は、媒体９９を供給口１７から供給する場合、媒体９９の片端のみを持ち上げる。Ａ３サイズのような幅の小さい媒体９９の場合、その片端を持ち上げるだけで十分に媒体９９にコシを付与できる。
【００６３】
上記実施形態によれば、以下のような効果を得ることができる。
（１）記録装置１１は、排出部２５によって排出される媒体９９に対して幅方向Ｘの中央を挟む２箇所を持ち上げるように支持する一対の支持部２７を備える。一対の支持部２７は、サイズの異なる複数の媒体９９に対応するように複数設けられる。そのため、排出部２５によって排出される媒体９９は、一対の支持部２７に支持されることによって幅方向Ｘに湾曲される。これにより、媒体９９にコシが付与される。一対の支持部２７は、サイズの異なる複数の媒体９９に対応するように複数設けられる。そのため、サイズの異なる複数の媒体９９にコシを付与できる。したがって、媒体９９の垂れ下がりを抑制できる。特に、異なるサイズの媒体９９それぞれに対して垂れ下がりを抑制できる。
【００６４】
（２）第１支持部５１は、第２支持部５２よりも媒体９９を支持する高さが高くなるように設けられ、幅方向Ｘにおいて第２支持部５２を挟むように位置する。第２支持部５２を挟むように位置する一対の第１支持部５１が媒体９９を支持する際、第２支持部５２は、媒体９９において、一対の第１支持部５１がそれぞれ支持する部分同士の間の一部分を支持する。第２支持部５２が媒体９９を支持する高さは、第１支持部５１が媒体９９を支持する高さよりも低い。そのため、媒体９９において第２支持部５２によって支持される部分は、下方に落ち込む。すなわち、第１支持部５１によって媒体９９を持ち上げ易くなる。これにより、媒体９９にコシを付与できる。
【００６５】
（３）支持部２７は、排出ローラー３８が媒体９９を挟み込む位置よりも高い位置で媒体９９を支持するように設けられる。そのため、排出部２５によって排出される媒体９９は、支持部２７に支持されることによって、下方から上方に向けて延びる姿勢となる。下方から上方を向けて延びる姿勢で媒体９９を排出することによって、上方から下方に向けて延びる姿勢で媒体９９を排出する場合と比べて、媒体９９が垂れ下がり難くなる。すなわち、媒体９９の垂れ下がりを抑制できる。
【００６６】
（４）支持部２７は、上方に向けて突出する突起４１で構成される。これにより、支持部２７を簡易に構成できる。
（５）突起４１の上端部分４４は、幅方向Ｘから見て丸みを有する形状とされる。これにより、突起４１と擦れることによる媒体９９のダメージを低減できる。
【００６７】
（６）突起４１の上端部分４４は、媒体９９が排出される排出方向Ａから見て丸みを有する形状とされる。これにより、突起４１と擦れることによる媒体９９のダメージを低減できる。
【００６８】
上記実施形態は、以下に示す変更例のように変更してもよい。また、上記実施形態に含まれる構成と下記変更例に含まれる構成とを任意に組み合わせてもよいし、下記変更例に含まれる構成同士を任意に組み合わせてもよい。
【００６９】
・図８に示すように、第６突起６６の突出量を、第３突起６３、第４突起６４及び第５突起６５の突出量よりも大きくしてもよい。例えば、第６突起６６の突出量を、第２突起６２の突出量と同等にしてもよい。この場合、Ａ３サイズの媒体９９が供給されると、その媒体９９の右端は第２突起６２に支持され、媒体９９の左端は第６突起６６によって支持される。このとき、媒体９９は、幅方向Ｘにおいて、第２突起６２に支持される部分と第６突起６６に支持される部分との間の一部分が落ち込むように湾曲する。すなわち、媒体９９において、第２突起６２に支持される部分と第６突起６６に支持される部分との間の一部分は、第２突起６２の上端部分４４及び第６突起６６の上端部分４４よりも鉛直方向Ｚにおいて下方に位置する。
【００７０】
媒体９９は、幅方向Ｘにおいて、第２突起６２に支持される部分と第６突起６６に支持される部分とが持ち上がるように湾曲する。これにより、Ａ３サイズの媒体９９が供給される場合において、第２支持部５２である第２突起６２と第２支持部５２である第６突起６６とが、媒体９９の両端を持ち上げるように支持する一対の支持部２７として機能する。第２突起６２及び第６突起６６は、排出される媒体９９に対して幅方向Ｘの中央を挟む２箇所を持ち上げるように支持する一対の支持部２７である。第６突起６６の突出量は、第１突起６１、第７突起６７、第８突起６８及び第９突起６９の突出量と同等にしてもよい。この場合においても、第２支持部５２である第２突起６２と第１支持部５１である第６突起６６とが、一対の支持部２７として機能する。
【００７１】
・図９に示すように、複数の支持部２７は、幅方向Ｘにおいて対称に配置されてもよい。この場合、記録装置１１は、媒体９９の幅方向Ｘにおける中央の位置が一致するように媒体９９を排出することが好ましい。この変更例において、排出口１３には、８個の突起４１が設けられる。排出口１３に設けられる複数の突起４１を、幅方向Ｘにおいて順に、第１突起７１、第２突起７２、第３突起７３、第４突起７４、第５突起７５、第６突起７６、第７突起７７、第８突起７８と称する。
【００７２】
第１突起７１及び第８突起７８の突出量は互いに同等である。第２突起７２及び第７突起７７の突出量は互いに同等である。第２突起７２及び第７突起７７の突出量は、第１突起７１及び第８突起７８の突出量よりも小さい。第３突起７３及び第６突起７６の突出量は互いに同等である。第３突起７３及び第６突起７６の突出量は、第２突起７２及び第７突起７７の突出量よりも小さい。第４突起７４及び第５突起７５の突出量は互いに同等である。第４突起７４及び第５突起７５の突出量は、第３突起７３及び第６突起７６の突出量よりも小さい。すなわち、幅方向Ｘにおいて中央寄りに位置する突起４１の突出量よりも端寄りに位置する突起４１の突出量の方が大きくなるように、複数の突起４１が排出口１３に並ぶ。
【００７３】
排出される媒体９９の両端がそれぞれ第１突起７１及び第８突起７８に支持される場合、媒体９９において第１突起７１に支持される部分と第８突起７８に支持される部分との間の一部分が下方に落ち込む。すなわち、第１突起７１及び第８突起７８が媒体９９の両端を持ち上げるように支持する。そのため、この場合には、第１突起７１及び第８突起７８が一対の支持部２７として機能する。第１突起７１及び第８突起７８は、第１支持部５１として機能する。
【００７４】
排出される媒体９９の両端がそれぞれ第２突起７２及び第７突起７７に支持される場合、媒体９９において第２突起７２に支持される部分と第７突起７７に支持される部分との間の一部分が下方に落ち込む。すなわち、第２突起７２及び第７突起７７が媒体９９の両端を持ち上げるように支持する。そのため、この場合には、第２突起７２及び第７突起７７が一対の支持部２７として機能する。第２突起７２及び第７突起７７は、媒体９９を支持する高さが第１支持部５１よりも低い第２支持部５２として機能する。
【００７５】
排出される媒体９９の両端がそれぞれ第３突起７３及び第６突起７６に支持される場合、媒体９９において第３突起７３に支持される部分と第６突起７６に支持される部分との間の一部分が下方に落ち込む。すなわち、第３突起７３及び第６突起７６が媒体９９の両端を持ち上げるように支持する。そのため、この場合には、第３突起７３及び第６突起７６が一対の支持部２７として機能する。第３突起７３及び第６突起７６は、媒体９９を支持する高さが第２支持部５２よりも低い第３支持部５３として機能する。
【００７６】
排出される媒体９９の両端がそれぞれ第４突起７４及び第５突起７５に支持される場合、媒体９９において第４突起７４に支持される部分と第５突起７５に支持される部分との間の一部分が下方に落ち込むことがある。この場合、第４突起７４及び第５突起７５は、媒体９９の両端を持ち上げるように支持する。そのため、この場合には、第４突起７４及び第５突起７５が一対の支持部２７として機能する。第４突起７４及び第５突起７５は、媒体９９を支持する高さが第３支持部５３よりも低い第４支持部５４として機能する。
【００７７】
このように、複数の支持部２７が幅方向Ｘにおいて対称に配置される場合においても、一対の支持部２７により、排出される媒体９９に対して幅方向Ｘの中央を挟む２箇所を持ち上げるように支持できる。
【００７８】
・突起４１を例えばローラーに替えてもよい。すなわち、支持部２７は、回転可能なローラーで構成されてもよい。
・突起４１は、湾曲面４３を有しなくてもよい。
【００７９】
・支持部２７は、突起４１及びローラーによって構成されてもよい。例えば、第１支持部５１を突起４１で構成し、第２支持部５２をローラーで構成してもよい。
・排出される媒体９９は、排出方向Ａの先から見て、Ｍ字型、Ｗ字型となるように湾曲されてもよい。
【００８０】
・排出部２５は、例えばベルトを用いて媒体９９を排出する構成でもよい。
・ヘッド３３は、幅方向Ｘにおいて長尺のラインヘッドとして構成されてもよい。
・突起４１の上端部分４４は、角張った形状を有するように形成されてもよい。突起４１は、媒体９９との摩擦が小さくなるように形成されることが好ましい。
【００８１】
・複数の支持部２７は、排出方向Ａにおいて上流と下流とに位置がずれるように配置されてもよい。
・媒体９９は、用紙に限らず、例えばプラスチックフィルムでもよい。媒体９９は、シート状であればよい。
【００８２】
・ヘッド３３が噴射する液体はインクに限らず、例えば機能材料の粒子が液体に分散又は混合されてなる液状体などでもよい。例えば、ヘッド３３が液晶ディスプレイ、ＥＬ（エレクトロルミネッセンス）ディスプレイ及び面発光ディスプレイの製造などに用いられる電極材または色材（画素材料）などの材料を分散または溶解のかたちで含む液状体を噴射してもよい。
【符号の説明】
【００８３】
１１…記録装置（排出装置）、１２…筐体、１３…排出口、１４…操作パネル、１５…第１カバー、１６…第２カバー、１７…供給口、２１…ガイド部材、２２…搬送部、２３…支持台、２４…記録部、２５…排出部、２６…切断部、２７…支持部、３１…搬送ローラー、３２…ノズル、３３…ヘッド、３４…キャリッジ、３５…ガイド軸、３６…ノズル面、３７…中継ローラー、３８…排出ローラー、３９…回転刃、４１…突起、４２…傾斜面、４３…湾曲面、４４…上端部分、５１…第１支持部、５２…第２支持部、５３…第３支持部、５４…第４支持部、６１…第１突起、６２…第２突起、６３…第３突起、６４…第４突起、６５…第５突起、６６…第６突起、６７…第７突起、６８…第８突起、６９…第９突起、７１…第１突起、７２…第２突起、７３…第３突起、７４…第４突起、７５…第５突起、７６…第６突起、７７…第７突起、７８…第８突起、９９…媒体、Ａ…排出方向、Ｒ…ロール体、Ｘ…幅方向、Ｙ…奥行方向、Ｚ…鉛直方向。
【図１】
2019167201.tif 000003
【図２】
2019167201.tif 000004
【図３】
2019167201.tif 000005
【図４】
2019167201.tif 000006
【図５】
2019167201.tif 000007
【図６】
2019167201.tif 000008
【図７】
2019167201.tif 000009
【図８】
2019167201.tif 000010
【図９】
2019167201.tif 000011